(57)【要約】【課題】紙カップにおける液面高さ位置を把握し易くし、水やお湯を適正な量にして入れ易い紙カップを得る。【解決手段】液面高さ表示手段５は、周壁３の周壁材をカップ内方またはカップ外方に向けて凸にして周壁内面側で影付けして周壁の周方向に交差する明暗境界８を目視可能にした明暗形成部６を備えていて、明暗境界８を周方向に不連続に配置した。【選択図】図１
2008024356.tif 000002
【特許請求の範囲】
【請求項１】
内部に注ぎ込む水や湯などの液体の適正量を表現した液面高さ位置を示す液面高さ表示手段を周壁に有するカップ本体とこのカップ本体の前記周壁の外面側に配置されたカバーとからなる紙カップにおいて、
前記液面高さ表示手段は、周壁の周壁材をカップ内方またはカップ外方に向けて凸にして周壁内面側での影付けにより周壁の周方向に明暗境界を目視可能にした明暗形成部を備えていることを特徴とする紙カップ。
【請求項２】
上記明暗形成部による明暗境界は周壁の周方向に対して交差していて、該明暗境界を周方向に不連続に配置する構成とした請求項１に記載の紙カップ。
【請求項３】
上記明暗形成部は上記液面高さ位置にあって、周壁の周方向に沿って線形状を有し、かつ周壁の周方向に亘って不連続とされて、液面高さ位置にて前記明暗形成部と明暗形成部間の平坦面部とが交互に配置されている請求項１または２に記載の紙カップ。
【請求項４】
上記明暗形成部が上記液面高さ位置に近接して周壁の周方向に複数配置されている請求項１または２に記載の紙カップ。
【請求項５】
上記明暗形成部が上記液面高さ位置に沿って周壁の周方向に複数配置されていて、明暗形成部それぞれの下端が前記液面高さ位置に達している請求項１または２に記載の紙カップ。
【発明の詳細な説明】
【技術分野】
【０００１】
本発明はお湯などを注ぎ込んで食する加工済み食品を収納する紙カップであって、水やお湯などの液体の注ぎ込みの目安となる液面高さ表示を備えた紙カップに関するものである。
【背景技術】
【０００２】
上記紙カップにおいては、適量を越えた状態でお湯が入っている場合にはカップの上縁近くまで熱くなり易く、そのため、やけども防止することができるように周壁の外周に紙製のカバーを装着するようにした工夫が提案されている（例えば、特許文献１参照）。
【特許文献１】特開２００３−０９５３４９号公報
【発明の開示】
【発明が解決しようとする課題】
【０００３】
紙カップを用いた商品は上述したように紙製のカバーを紙製のカップ本体の周壁の外面側にセットしてやけどの防止を図り、そして、カップ本体の周壁の液面高さ位置に周壁材を外方または内方に凸とした加工を施して入れ目線とし、これを液面高さ位置を示す液面高さ位置表示手段として備えているが、上述したように適量を越えてお湯が入れられるのは前記入れ目線が確認し難いからである。
しかしながら、入れ目線の確認を容易にするためにカップ本体の周壁に対して内方または外方へ突出量を大きくした凸の加工を施すことは周壁材にピンホールや裂けを生じさせることとなり、そのため、突出の度合いが小さい加工にとどまっている。そして、注意深くカップ本体の内方を見れば、入れ目線の位置で凸の加工の部分が筋状に確認できることがあるが、その筋状の凸加工部分のの周方向に沿った見た目の連続的な変化が、入れ目線以外の内表面での周方向に沿った明るさの連続的な変化とほぼ同じとなって目立たなくなっていて、通常にカップ本体の内部を見た場合では、周方向に連続的な見た目の変化がある内表面の部分に入れ目線が溶け込んでしまう。そのため、液面高さ位置より上の高さまでにお湯が入れられたり、あるいは液面高さ位置より低い位置までしかお湯が入れられないという問題が生じている。
そこで本発明は上記事情に鑑み、紙カップにおける液面高さ位置を把握し易くすることを課題とし、水やお湯を適正な量にして入れ易い紙カップを得ることを目的とするものである。
【課題を解決するための手段】
【０００４】
本発明は上記課題を考慮してなされたもので、内部に注ぎ込む水や湯などの液体の適正量を表現した液面高さ位置を示す液面高さ表示手段を周壁に有するカップ本体とこのカップ本体の前記周壁の外面側に配置されたカバーとからなる紙カップにおいて、前記液面高さ表示手段は、周壁の周壁材をカップ内方またはカップ外方に向けて凸にして周壁内面側での影付けにより周壁の周方向に明暗境界を目視可能にした明暗形成部を備えていることを特徴とする紙カップを提供して、上記課題を解消するものである。
そして、本発明において、上記明暗形成部による明暗境界は周壁の周方向に対して交差していて、該明暗境界を周方向に不連続に配置する構成とすることが可能である。
また、本発明において、上記明暗形成部は上記液面高さ位置にあって、周壁の周方向に沿って線形状を有し、かつ周壁の周方向に亘って不連続とされて、液面高さ位置にて前記明暗形成部と明暗形成部間の平坦面部とが交互に配置されているものとすることが可能である。
また、本発明において、上記明暗形成部が上記液面高さ位置に近接して周壁の周方向に複数配置されているものとすることが可能である。
また、本発明において、上記明暗形成部が上記液面高さ位置に沿って周壁の周方向に複数配置されていて、明暗形成部それぞれの下端が前記液面高さ表示位置に達しているものとすることが可能である。
【発明の効果】
【０００５】
請求項１の発明によれば、明暗境界が目視えきる明暗形成部が周壁の周方向にあるため、液面高さ位置が簡単に把握し易くなる。
請求項２の発明によれば、液面高さ表示手段は、明暗境界が不連続になっている周方向に亘っている部分を備えているので、その液面高さ表示手段自体が目立ち易くなり、よってその液面高さ表示手段が示す液面高さ位置が把握し易くなる。
請求項３の発明によれば、明暗境界が不連続になっている部分が液面高さ位置にあるため、その液面高さ表示が見易くなる。
請求項４の発明によれば、明暗境界が不連続になっている部分が液面高さ位置に近接しているため、液面高さ位置が把握し易くなる。
請求項５の発明によれば、明暗境界が不連続になっている部分の下端が液面高さ位置にあるため、その液面高さ表示が見易くなる。
【発明を実施するための最良の形態】
【０００６】
つぎに本発明を図示の実施の形態に基づいて詳細に説明する。
図中１は紙カップで、該紙カップ１は紙製のカップ本体２とこのカップ本体２の周壁３の外周面を覆うようにして取り付けられている略筒状とした紙製のカバー４とからなるものである。
本発明の紙カップ１においては図１に示すようにカップ本体２に液面高さ表示手段５が設けられている。この液面高さ表示手段５はカップ本体２に水やお湯などの液体を注ぎ込むときの液体の適正量を表現した液面高さ位置Ａを把握し易く示すものであり、図１に示す実施の形態では、液面高さ位置Ａとする部分に直接位置するように複数の明暗形成部６を備えてなるものである。この明暗形成部６は、線形状、円形状などの形状でもよい。この液面高さ表示手段５での前記明暗形成部６それぞれは、周壁３の周壁材をカップ外方に向けて凸にした周壁材屈曲部位７であって、カップ外方に向けて凸とした周壁材屈曲部位７により周壁内面側で明確な明暗差によりなる影付けをしていて、この周壁材屈曲部位７からなる明暗形成部６それぞれでは、カップ本体２の内部を見た時に、その明暗形成部６とその周囲との境目で形成される明暗境界８および明暗形成部６の内表面で形成される明暗境界８が目視可能となるようにしている。なお、周壁材屈曲部位７の内部の形状（水平断面の形状）は単純な船底状の形状を呈するものに限定されず、例えば周壁材屈曲部位７の内奥面が各種の形状を呈するようにすることも可能である。
さらに、明暗形成部６は、液面高さ位置Ａに沿って周壁３の周方向に明暗形成部６間の平坦面部９と交互にして不連続に配置されており（図２参照）、カップ本体２の内部を見る場合には、光が上方から入るため、前記明暗境界８は、明暗形成部６とその周囲との境目ではその明暗境界部６の端部で回り込むようにして周壁３の周方向に交差し、明暗形成部６の内表面では明暗境界部８の端部側で回り込むようになって同様に周壁３の周方向に交差するようになる。このように液面高さ表示手段５が有している明暗形成部６自体は細いものではあるが、複数の明暗形成部６によって、前述のように周壁３の周方向に交差する明暗境界８をその周壁３の周方向、即ち、液面高さ位置の部分に沿って不連続にした状態で並ぶようにしているので、カップ本体２の内部を見た時にこの明暗形成部６が目立ち、よって、液面高さ位置Ａが判断し易くなる。
勿論、周壁３の周方向に交差する明暗境界８の位置は、目線を少し変えれば、明暗形成部６それぞれで一斉に変化することになり、液面高さ表示手段５が設けられていない部分がほとんどその見え方に変化が生じないことから、却って液面高さ位置Ａがより一層把握し易くなる。
この実施の例においては明暗形成部６それぞれを、カップ外方に凸の周壁材屈曲部位７から形成したが、カップ内方に凸の周壁材屈曲部位によっても周方向に交差するように回り込む明暗境界が明暗形成部６とその周囲の境目として、また、明暗形成部６の凸の表面で形成されるため、同様の効果を奏することになる。
【０００７】
上記実施の形態では、液面高さ表示手段５は、液面高さ位置Ａに直接配置された複数の線形状の明暗形成部６を備えるものとして示されているが、本発明はこれに限定されるものではなく、以下の形態を実施することも可能である。
・第二の例（図３）
第二の例では図３に示すように液面高さ表示手段５が液面高さ位置Ａに沿う筋押しよりなる入れ目線１０と、この入れ目線１０で表現されている前記液面高さ位置Ａにそれぞれ先端が連続している、或いは間隔が空いているか、または近傍となっている複数の略Ｖ字型の明暗形成部６とから構成されている。そして、明暗形成部６自体は、図示のように三角形の筋押しからなる周壁屈強部位７の二辺としてなるものであって、三角形の周壁屈曲部位７を液面高さ位置Ａの上下にして周壁３の周方向に定間隔で複数にして配置されている。これによってそれぞれ略Ｖ字型とした明暗形成部６が周壁３の周方向に不連続に配置されており、かつ、Ｖ字型の二辺が周壁３の周方向と交差するものであるため、カップ内部を見たときの明暗形成部６それぞれで形成される明暗境界は周壁３の周方向に不連続に並ぶこととなり、明暗境界それぞれが周壁３の周方向と交差する方向となって目立つ状態で目視できるものとなる。
このように目視容易な状態となっている明暗境界が上記入れ目線１０に沿って定間隔で並ぶように見えるため、液体高さ位置Ａが容易に判断できるものとなる。さらに、定間隔に加えて、特に定間隔ではなく不定間隔とすることもできる。不定間隔の場合は、容器の大きさや開口部の大きさにより適宜、その不定間隔を定める。また、本実施例では明暗形成部６は一定の間隔としているが、明暗形成部６の大きさを小さくして明暗形成部６が連なるようにすることもできる。さらに、本例では入れ目線１０の上下両方に明暗形成部６が設けられているが、上下のどちらか片方に設けても、同様な効果を得ることができるものである。さらには図示した形状に限定されるものではないが、図示の抽象図形パターンとした周壁材屈曲部位を上下方向に複数段にして形成することも可能である。
【０００８】
・第三の例（図４）
第三の例の液面高さ表示手段５では、図４に示すように、上記例での液面高さ位置Ａにある入れ目線１０と、この入れ目線１０がある液面高さ位置Ａに下端それぞれが連続、或いは間隔が空いているか、または近傍にするように斜めの筋押し状の周壁材屈曲部位７を形成して得た複数の線状の明暗形成部６とを備えているものである。
この例でも傾斜した明暗形成部６それぞれにおいて斜めの明暗境界が得られて、その明暗境界の下端が不連続状態にして液面高さ位置Ａで並んで見えるため、入れ目線１０自体が目視し難くとも前記明暗境界の下端の不連続な並びから液面高さ位置Ａが目視容易となる。
【０００９】
・第四の例（図５）
第四の例は第三の変形であり、周壁３の全体に亘って液面高さ表示手段５が設けられていて、液面高さ位置Ａの下位の位置にも明暗形成部６を設けていて、この下位の明暗形成部６を上位の明暗形成部６と異なる方向の傾斜角にして、かつ配列のピッチを変えている。このようにすることで並び形態の異なる明暗境界が液面高さ位置Ａの上下で見えるようになり、その液面高さ位置Ａが見易くなる。また、本例では図５のようにピッチを変えているが、ピッチの傾斜角、配列を変えているが、ピッチの傾斜角、配列を変えないようにしてピッチを設けることもできる。
【００１０】
・第五の例（図６）
第五の例では四角形に型押した周壁材屈曲部位７からなる複数の明暗形成部６を液面高さ位置Ａを間にして上下にして周壁３の周方向に交互となるように配置していて、液面高さ位置Ａの上位の明暗形成部６をカップ内方に向けて凸の周壁材屈曲部位７からなるものとし、下位の明暗形成部６をカップ外方に向けて凸の周壁材屈曲部位７からなるものとしている。この例においても各明暗形成部６により周壁３の周方向に交差する明暗境界が周壁３の周方向に不連続にして目視できるため、明暗境界が上下でずれている部分を液面高さ位置Ａとして把握し易くなる。
【００１１】
・第六の例（図７）
第六の例では図７に示すように液面高さ表示手段５を、液面高さ位置Ａに沿う入れ目線１０に近接するようにして周壁３の周方向に交差する縦の明暗形成部６を周方向に複数並べなるものであり、前記縦の明暗形成部６を一部として備える筋押し文様の周壁材屈曲部位７を周壁３の周方向に配置したものである。この例においても周壁材屈曲部位７中にある縦の明暗形成部６の下端が入れ目線１０に近接しているので、カップ内部を見た時に縦の明暗形成部６での明暗境界の下端位置から液面高さ位置Ａを把握し易くなるものである。
【００１２】
・第七の例（図８）
第七の例の液面高さ表示手段５では、図８に示すように、液面高さ位置Ａにある入れ目線１０の上領域に、入れ目線１０がある液面高さ位置Ａに下端それぞれが連続するように一方向に傾斜した筋押し状の周壁材屈曲部位７と、同じく入れ目線１０がある液面高さ位置Ａに下端それぞれが連続して逆方向に傾斜した筋押し状の周壁材屈曲部位７とを形成し、複数の線状の明暗形成部６を交差状にして備えているものである。
この例でも傾斜した明暗形成部６それぞれにおいて斜めの明暗境界が得られて、その明暗境界の下端が不連続状態にして液面高さ位置Ａで並んで見えるため、入れ目線１０自体が目視し難くとも前記明暗境界の下端の不連続な並びから液面高さ位置Ａが目視容易となる。
【００１３】
・第八の例（図９）
第八の例の液面高さ表示手段５では、図９に示すように、液面高さ位置Ａにある入れ目線１０の上領域に、複数の同一図形の型押し部分をパターン配置された周壁材屈曲部位７を設けて明暗形成部６を文様パターンにして備えているものである。この例においても明暗形成部６で得られる明暗境界は周壁３の周方向に交差するものとなり、目視し易い明暗境界の下端位置が前記液面高さ位置Ａに沿うため、この液面高さ位置Ａを把握し易くなる。
【００１４】
・第九の例（図１０）
第九の例の液面高さ表示手段５では、図１０に示すように、それぞれが尖頭を有する山形に型押ししてなる複数の周壁材屈曲部位７を液面高さ位置Ａに並べ設けて複数の明暗形成部６を周方向に並べている。この例においても各明暗形成部６が尖頭のある周壁材屈曲部位７からなり、周壁材屈曲部位７での稜線で明暗境界が生じるようになって、その明暗境界が周方向に対して交差し、かつ周方向に不連続となるため、液面高さ位置Ａが把握し易くなるものである。なお、この例において周壁材屈曲部位７が密に並んでいればよく、不連続配置であってもよい。
【００１５】
・第十の例（図１１）
第十の例での液面高さ表示手段５が備える明暗形成部６にあっては、周壁材での液面高さ位置で段付け形成した段部である周壁材屈曲部位７からなるものである。この第十の例での液面高さ表示手段５が備える明暗形成部６では、前記段部での内縁（段部平面の内縁）および外縁（段部平面の外縁部分）において段部平面とその段部より上の内周面との明るさの差、および段部平面とその段部より下の内周面との明るさの差によって、それぞれ影付けがなされ、段部平面が周方向に亘っているためその影付けで生じる明暗境界が周壁の周方向で目視可能とされているものである。
【図面の簡単な説明】
【００１６】
【図１】本発明に係る紙カップの第一の例を示す説明図である。
【図２】第一の例における液面高さ表示手段の例を示す説明図である。
【図３】第二の例を示す説明図である。
【図４】第三の例を示す説明図である。
【図５】第四の例を示す説明図である。
【図６】第五の例を示す説明図である。
【図７】第六の例を示す説明図である。
【図８】第七の例を示す説明図である。
【図９】第八の例を示す説明図である。
【図１０】第九の例を示す説明図である。
【図１１】第十の例を示す説明図である。
【符号の説明】
【００１７】
１…紙カップ
２…カップ本体
３…周壁
４…カバー
５…液面高さ表示手段
６…明暗形成部
７…周壁材屈曲部位
８…明暗境界
９…平坦面部
１０…入れ目線
Ａ…液面高さ位置
【図１】
2008024356.tif 000003
【図２】
2008024356.tif 000004
【図３】
2008024356.tif 000005
【図４】
2008024356.tif 000006
【図５】
2008024356.tif 000007
【図６】
2008024356.tif 000008
【図７】
2008024356.tif 000009
【図８】
2008024356.tif 000010
【図９】
2008024356.tif 000011
【図１０】
2008024356.tif 000012
【図１１】
2008024356.tif 000013